【手続補正書】
【提出日】平成19年7月10日(2007.7.10)
【手続補正１】
【補正対象書類名】明細書
【補正対象項目名】特許請求の範囲
【補正方法】変更
【補正の内容】
【特許請求の範囲】
【請求項１】  第１技術に基づく第１ネットワークと第２技術に基づく第２ネットワークとの間をマルチメディア情報が通過することを可能にする方法であって、
前記第１ネットワークから前記第２ネットワークに前記マルチメディア情報を通過させるためのフォーマットを確立するためにマルチメディア機能情報をインバンド・メッセージに論理的にマッピングすることを含む、インバンド機能ネゴシエーションまたはインバンド・シグナリングの方法を、前記第１および／または前記第２ネットワークが適用できるようにするステップ、を有する方法。
【請求項２】  請求項１記載の方法において、前記インバンド・メッセージは、ＴＦＯ（タンデム・フリー・オペレーション(Tandem Free Operation))メッセージであることを特徴とする方法。
【請求項３】  請求項１または請求項２記載の方法において、前記インバンド機能ネゴシエーションがプロトコルのネゴシエーションを含むことを特徴とする方法。
【請求項４】  請求項１、請求項２または請求項３記載の方法において、前記マルチメディア情報は前記第２ネットワークから前記第１技術または第３技術に基づく第３ネットワークをさらに通り、ここでインバンド機能を適用する前記ステップが前記第２ネットワークから前記第３ネットワークに通るマルチメディア情報に対して実行されることを特徴とする方法。
【請求項５】  請求項１乃至請求項４のいずれか１項に記載の方法において、前記マルチメディア情報は、圧縮されたオーディオ・ストリームのようなユーザ段階の情報であることを特徴とする方法。
【請求項６】  第１技術に基づく第１ネットワークと、
第２技術に基づく第２ネットワークと、
前記第１ネットワークから前記第２ネットワークにマルチメディア情報を通過させるためのシグナリングおよび／またはネゴシエーションを行うためにマルチメディア機能情報をインバンド・メッセージに論理的にマッピングすることを含むインバンド方法を、前記第１及び第２ネットワークが適用できるようにするインタフェース手段と、
を有する通信システム。
【請求項７】  請求項６記載のシステムにおいて、前記インバンド・メッセージは、ＴＦＯ（Tandem Free Operation)メッセージであることを特徴とするシステム。
【請求項８】  請求項６または請求項７記載のシステムにおいて、前記第１技術または第３技術に基づく第３ネットワークと、前記第２ネットワークから前記第３ネットワークに転送されるマルチメディア情報にＴＦＯを適用するインタフェース手段とをさらに有するシステム。
【請求項９】  請求項６、請求項７または請求項８記載のシステムにおいて、前記第３ネットワークは、ＰＬＭＮまたはマルチメディア・ネットワークの１つであることを特徴とするシステム。
【請求項１０】  請求項６乃至請求項９のいずれか１項に記載のシステムにおいて、前記第２ネットワークが複数個の通信ネットワークを有することを特徴とするシステム。
【請求項１１】  請求項６乃至請求項１０のいずれか１項に記載のシステムにおいて、前記マルチメディア情報は、圧縮されたオーディオ・ストリームのようなユーザ段階情報であることを特徴とするシステム。
【請求項１２】  請求項６乃至請求項１１のいずれか１項に記載のシステムにおいて、前記第１ネットワークがマルチメディア・ネットワークであることを特徴とするシステム。
【請求項１３】  請求項６乃至請求項１２のいずれか１項に記載のシステムにおいて、前記第２ネットワークがＳＳ７に基づくネットワークであることを特徴とするシステム。
【請求項１４】  第１マルチメディア・ネットワークの中の第１ノードと第２マルチメディア・ネットワークの中の第２ノードとの間で機能情報を交換する方法であって、前記第１および前記第２ノード間で機能情報が横断して転送される固定されたまたはスイッチされた通信トランジット・ネットワークによって、前記第１および前記第２マルチメディア・ネットワークは分離されており、
前記第２ノードの動作を制御するための機能情報を有する制御メッセージを前記第１マルチメディア・ネットワークから前記固定されたまたはスイッチされた通信ネットワークに伝送するステップと、
前記第１マルチメディア・ネットワークと前記固定されたまたはスイッチされた通信ネットワークとの間のインタフェースにおいて、前記固定されたまたはスイッチされた電気通信ネットワークの中のベアラ・チヤンネル中を転送するために前記機能情報をインバンド・シグナリング・メッセージの中にマッピングするステップと、
前記固定されたまたはスイッチされた通信ネットワークと前記第２マルチメディア・ネットワークとの間のインタフェースにおいて、前記第２ノードに伝送するために前記インバンド・シグナリング・メッセージの中から前記機能情報を除去するステップと、を有する方法。
【請求項１５】  請求項１４記載の方法において、前記固定されたまたはスイッチされた通信ネットワークは、ＳＳ７に基づいていることを特徴とする方法。
【請求項１６】  請求項１４記載の方法において、前記固定されたまたはスイッチされた電気通信ネットワークは、ベアラ独立呼出し制御（ＢＩＣＣ(Bearer Independent Call Control))のような基礎をなすユーザ段階の転送に結合されていない呼出し制御に基づいていることを特徴とする方法。
【請求項１７】  請求項１５または請求項１６に記載の方法において、前記インバンド・シグナリング・メッセージは、ＧＳＭタンデム・フリー・オペレーション（ＴＦＯ）インバンド・シグナリング・プロトコルに適合していることを特徴とする方法。
【請求項１８】  請求項１７記載の方法において、前記インバンド・シグナリング・メッセージがＴＦＯメッセージであることを特徴とする方法。
【請求項１９】  請求項１４乃至請求項１８のいずれか１項に記載の方法において、前記機能情報は、情報ストリームを送信または受信するために１個または複数個の前記ノードの機能を特徴付ける情報を含むことを特徴とする方法。
【請求項２０】  請求項１４乃至請求項１９のいずれか１項に記載の方法において、前記第１マルチメディア・ネットワークおよび前記第２マルチメディア・ネットワークの少なくとも１つの動作がＩＴＵ−Ｔ勧告Ｈ．３２３に基づいていることを特徴とする方法。
【請求項２１】  請求項１４乃至請求項２０のいずれか１項に記載の方法において、前記第１マルチメディア・ネットワークおよび前記第２マルチメディア・ネットワークの少なくとも１つの動作がＩＥＴＦ  ＲＦＣ２５４３セッッション開始プロトコルに基づいていることを特徴とする方法。
【請求項２２】  第１マルチメディア・ネットワークの中の第１ノードと第２マルチメディア・ネットワークの中の第２ノードとの間で機能情報を交換するためのシステムであって、前記第１および前記第２ノードとの間で機能情報が横断して転送される固定されたまたはスイッチされた通信トランジット・ネットワークによって前記第１および前記第２マルチメディア・ネットワークは分離されており、
前記第２ノードの動作を制御するための機能情報を有する制御メッセージを前記第１マルチメディア・ネットワークから前記固定されたまたはスイッチされた電気通信ネットワークに伝送する手段と、
前記第１マルチメディア・ネットワークと前記固定されたまたはスイッチされた通信ネットワークとの間のインタフェースにおいて、前記固定されたまたはスイッチされた通信ネットワークの中のベアラ・チヤンネルに転送するために前記機能情報をインバンド・シグナリング・メッセージの中にマッピングする手段と、
前記固定されたまたはスイッチされた通信ネットワークと前記第２マルチメディア・ネットワークとの間のインタフェースにおいて、前記第２ノードに伝送するために前記インバンド・シグナリング・メッセージの中から前記機能情報を除去する手段と、
を有するシステム。
【請求項２３】  請求項２２記載のシステムにおいて、前記機能情報をマッピングする手段および除去する手段は、前記第１マルチメディア・ネットワークおよび前記第２マルチメディア・ネットワークを前記固定されたまたはスイッチされた電気通信ネットワークに相互接続する１個または複数個のゲートウエイ、媒体ゲートウエイ、レート・アダプタ・ユニットまたはインターワーキング・ユニットによって構成されることを特徴とするシステム。